(57)【要約】【課題】直接計量装置に触れることなく容易に設定操作を行うことが可能な計量装置を提供する。【解決手段】計量皿（載置部）に載置された被計量物の重量を計量する計量装置であって、利用者による操作を検出する太陽電池（非接触式の検出手段）と、太陽電池による検出に基づいて設定操作を行うＣＰＵ３３（制御手段）と、を具備し、ＣＰＵ３３は、太陽電池により検出されるパターンが、予め設定された所定のパターンと一致した場合にのみ、前記設定操作を行うものとした。【選択図】図４
2014163669.tif 000002
【特許請求の範囲】
【請求項１】
載置部に載置された被計量物の重量を計量する計量装置であって、
利用者による操作を検出する非接触式の検出手段と、
前記非接触式の検出手段による検出に基づいて設定操作を行う制御手段と、
を具備することを特徴とする計量装置。
【請求項２】
前記制御手段は、
予め設定された所定のパターンが前記非接触式の検出手段により検出された場合に、前記設定操作を行うことを特徴とする、
請求項１に記載の計量装置。
【請求項３】
前記設定操作には、
前記被計量物の重量を計量する計量モード及び各種の設定を行う設定モードを含む、少なくとも２つのモードを切り替える操作、
ゼロ点を調整する操作、
前記被計量物の目標重量を設定する操作、
又は風袋引きを設定する操作のうち、
少なくとも１つの操作が含まれることを特徴とする、
請求項１又は請求項２に記載の計量装置。
【請求項４】
前記非接触式の検出手段として、
電力供給源として用いられる太陽電池を用いることを特徴とする、
請求項１から請求項３までのいずれか一項に記載の計量装置。
【発明の詳細な説明】
【技術分野】
【０００１】
本発明は、載置部に載置された被計量物の重量を計量する計量装置の技術に関する。
【背景技術】
【０００２】
従来、載置部に載置された被計量物の重量を計量する計量装置の技術は公知となっている。例えば、特許文献１に記載の如くである。
【０００３】
特許文献１に記載の計量装置は、被計量物が載置される計量皿（載置部）と、当該計量皿に加わる荷重を検出するロードセル等が内包された本体部と、を具備する。また、本体部の前面には表示部やキースイッチ（操作キー）が設けられる。
【０００４】
このような計量装置において、利用者は操作キーを押圧して操作することにより、ゼロ点の調整、被計量物の目標重量（上下限値）の設定、及び風袋引きの設定等の設定操作を行うことができる。
【０００５】
しかしながら、通常このような計量装置の操作キーは、本体部前面の限られた範囲内に複数設けられている。このため、当該操作キーを押して操作しようとすると、誤操作（押し間違え）が発生したり、当該誤操作を防止するために注意深く操作キーを操作する必要があるなど、利用者による設定操作が行い難い点で不利であった。
特に、食品を手で扱う厨房などでは、利用者は衛生確保のために手袋を着用して当該計量装置を使用する場合があるため、設定操作がより一層行い難くなる。
【０００６】
また、このような厨房などでは、手袋を着用しているとはいえ、直接計量装置に触れない方が衛生上好ましい。
【先行技術文献】
【特許文献】
【０００７】
【特許文献１】特開２０１２−１２５６７６号公報
【発明の概要】
【発明が解決しようとする課題】
【０００８】
本発明は以上の如き状況に鑑みてなされたものであり、その解決しようとする課題は、直接計量装置に触れることなく容易に設定操作を行うことが可能な計量装置を提供することである。
【課題を解決するための手段】
【０００９】
本発明の解決しようとする課題は以上の如くであり、次にこの課題を解決するための手段を説明する。
【００１０】
即ち、請求項１においては、載置部に載置された被計量物の重量を計量する計量装置であって、利用者による操作を検出する非接触式の検出手段と、前記非接触式の検出手段による検出に基づいて設定操作を行う制御手段と、を具備するものである。
【００１１】
請求項２においては、前記制御手段は、予め設定された所定のパターンが前記非接触式の検出手段により検出された場合に、前記設定操作を行うものである。
【００１２】
請求項３においては、前記設定操作には、前記被計量物の重量を計量する計量モード及び各種の設定を行う設定モードを含む、少なくとも２つのモードを切り替える操作、ゼロ点を調整する操作、前記被計量物の目標重量を設定する操作、又は風袋引きを設定する操作のうち、少なくとも１つの操作が含まれるものである。
【００１３】
請求項４においては、前記非接触式の検出手段として、電力供給源として用いられる太陽電池を用いるものである。
【発明の効果】
【００１４】
本発明は、直接計量装置に触れることなく容易に設定操作を行うことができる、という効果を奏する。
【図面の簡単な説明】
【００１５】
【図１】本発明の一実施形態に係る計量装置を示した斜視図。
【図２】同じく、側面断面図。
【図３】計量装置の電力供給に関する構成を示した回路図。
【図４】計量装置の制御に関する構成を示したブロック図。
【図５】（ａ）設定モードへ切り替える操作の検出パターンを示したタイムチャート。（ｂ）項目送り操作の検出パターンを示したタイムチャート。
【図６】設定モードの各項目の階層構造を示した図。
【図７】（ａ）数値を増加させる操作の検出パターンを示したタイムチャート。（ｂ）数値を減少させる操作の検出パターンを示したタイムチャート。
【発明を実施するための形態】
【００１６】
以下では、図中に示した矢印に従って、前後方向、上下方向及び左右方向をそれぞれ定義する。
【００１７】
まず、図１及び図２を用いて、本発明に係る計量装置の一実施形態に係る計量装置１の概略構成について説明する。
【００１８】
計量装置１は、被計量物の重量を計量するものである。計量装置１は、主として本体部１０及び計量皿２０を具備する。
【００１９】
本体部１０は、計量装置１の主たる構造体となるものである。本体部１０は、主として筐体１１、乾電池１２、太陽電池１３、ロードセル１４、操作キー１５、表示部１６及び制御基板１７を具備する。
【００２０】
筐体１１は、略箱状に形成される部材である。筐体１１の前面は、後上方から前下方に向けて傾斜するように形成される。
【００２１】
乾電池１２は、計量装置１の主たる電源となるものである。乾電池１２は、筐体１１内の前部に配置される。乾電池１２は、筐体１１の下部（底面）から交換可能となるように構成される。
【００２２】
太陽電池１３は、本発明に係る検出手段の一実施形態であり、計量装置１の補助電源（乾電池１２の残量が減った際に用いられる電源）となるものである。太陽電池１３は、筐体１１の前面の左右両端部近傍にそれぞれ配置される。
【００２３】
ロードセル１４は、荷重を検出するセンサである。ロードセル１４は、主として起歪体１４ａ及び受け部１４ｂを具備する。
【００２４】
起歪体１４ａは、外力によってひずみを発生させるための部材である。起歪体１４ａは、長手方向を前後方向に向けた略直方体状に形成されると共に、その前後中途部は中空状に形成される。起歪体１４ａは、筐体１１内の後部に配置され、当該起歪体１４ａの後端下部が筐体１１に固定される。起歪体１４ａには、当該起歪体１４ａのひずみを検出するための歪ゲージ（不図示）が適宜設けられる。
【００２５】
受け部１４ｂは、起歪体１４ａの前端上部に固定される部分である。受け部１４ｂは、起歪体１４ａから上方に向けて突設される。受け部１４ｂの上端部は、筐体１１の上面に形成された開口部を介して、当該筐体１１の外部（上方）まで延設される。
【００２６】
このように構成されたロードセル１４において、受け部１４ｂに荷重が加わることによって生じた起歪体１４ａのひずみを、前記歪ゲージによって検出することで、当該荷重を検出することができる。
【００２７】
操作キー１５は、計量装置１に関する操作を行うための操作手段である。操作キー１５は、筐体１１の前面の左右両端部近傍に適宜の数だけ配置される。
【００２８】
表示部１６は、計量装置１に関する各種の情報を表示するものである。表示部１６は、筐体１１の前面の左右略中央部に配置される。
【００２９】
制御基板１７は、計量装置１に関する各種の演算や記憶等の制御を行うためのものである。制御基板１７には、後述するＣＰＵ３３やメモリ３４等が配置される。制御基板１７は、筐体１１内の前部（当該筐体１１の前面のすぐ背後）に配置される。
【００３０】
計量皿２０は、本発明に係る載置部の一実施形態であり、略矩形板状の部材である。計量皿２０は本体部１０の上方に配置される。計量皿２０の下面略中央部は、ロードセル１４の受け部１４ｂの上端部に固定されて支持される。これによって、計量皿２０に載置される被計量物の荷重が、ロードセル１４の受け部１４ｂに加えられることになる。
【００３１】
次に、図３を用いて、計量装置１の電力供給に関する構成について説明する。
【００３２】
計量装置１は、電力供給に関する構成として、乾電池１２、ＤＣ／ＤＣコンバータ２１、第一ダイオード２２、レギュレータ２３、太陽電池１３、第二ダイオード２４、第一端子２５及び第二端子２６を具備する。
【００３３】
前述の乾電池１２からの電力は、ＤＣ／ＤＣコンバータ２１において適宜変圧され、第一ダイオード２２を介してレギュレータ２３に供給可能とされる。
【００３４】
また、前述の太陽電池１３からの電力は、第二ダイオード２４を介してレギュレータ２３に供給可能とされる。
【００３５】
この際、第一ダイオード２２及び第二ダイオード２４によって、乾電池１２及び太陽電池１３のうち、電圧の高い方の電力がレギュレータ２３へと供給される。より詳細には、通常は乾電池１２からの電力がレギュレータ２３へと供給される。乾電池１２の残量が減って当該乾電池１２からの電圧が太陽電池１３からの電圧を下回ると、太陽電池１３からの電力がレギュレータ２３へと供給される。このように、太陽電池１３は、乾電池１２の残量が残りわずかとなった際の補助的な電力供給源として利用される。
【００３６】
レギュレータ２３へと供給された電力は、当該レギュレータ２３において一定の電圧に変圧された後、計量装置１の各部へと適宜供給される。
【００３７】
また、乾電池１２とＤＣ／ＤＣコンバータ２１との間には第一端子２５が設けられると共に、太陽電池１３と第二ダイオード２４との間には第二端子２６が設けられる。
【００３８】
次に、図４を用いて、計量装置１の制御に関する構成について説明する。
【００３９】
計量装置１は、制御に関する構成として、ロードセル１４、増幅回路３１、Ａ／Ｄコンバータ３２、ＣＰＵ３３、メモリ３４、表示部１６、操作キー１５、第一端子２５、第一電圧検出ＩＣ３５、第二端子２６及び第二電圧検出ＩＣ３６を具備する。
【００４０】
ロードセル１４からのアナログ信号は、増幅回路３１において増幅された後、Ａ／Ｄコンバータ３２においてデジタル信号へと変換される。当該変換されたデジタル信号は、ＣＰＵ３３に入力される。
【００４１】
ＣＰＵ３３は、本発明に係る制御手段の一実施形態であり、メモリ３４に記憶された制御プログラムに従って、受信したデジタル信号からロードセル１４に加えられた荷重（ひいては、計量皿２０に載置された被計量物の重量）を算出する。ＣＰＵ３３は、当該算出された値を表示部１６に表示させることができる。当該表示は所定の時間間隔（利用者が読み取ることができる程度の時間間隔）ごとに更新され、利用者は被計量物の重量を確認することができる。
【００４２】
また、ＣＰＵ３３は、上記被計量物の重量だけでなく、その他各種の情報を表示部１６に表示させることができる。
【００４３】
また、操作キー１５からの操作信号はＣＰＵ３３に入力され、ＣＰＵ３３は当該操作信号に基づいて所定の操作（設定等）を行う。
【００４４】
また、第一電圧検出ＩＣ３５は、第一端子２５を介して乾電池１２（図３参照）からの電圧を検出し、当該検出信号をＣＰＵ３３に送信する。
【００４５】
また、第二電圧検出ＩＣ３６は、第二端子２６を介して太陽電池１３（図３参照）からの電圧を検出し、当該検出信号をＣＰＵ３３に送信する。
【００４６】
次に、図５から図７までを用いて、計量装置１の設定操作の方法について説明する。
【００４７】
ここで、計量装置１の設定操作とは、下記で例示するように、利用者の指示（太陽電池１３を用いた操作）に従って、ＣＰＵ３３が計量装置１に関する各種の設定を行うことを意味する。
【００４８】
計量装置１は、「計量モード」及び「設定モード」の２つのモードを有する。「計量モード」とは、計量装置１が被計量物の重量を計量するモードである。また「設定モード」とは、計量装置１に関する各種の設定を行うモードである。
【００４９】
まず、図５を用いて、計量モードから設定モードへの切り替え操作について説明する。
【００５０】
利用者によって特定の操作キー１５が操作されると、計量装置１の電源がオン（入）に切り替えられる。これによって、計量装置１は利用可能な状態となる。電源がオンに切り替えられた時点では、計量装置１のモードは計量モードとなっている。当該計量モードにおいては、予め定められた設定状態（初期設定状態）で被計量物の重量を計量することができる。
【００５１】
この計量モードにおいて、利用者は太陽電池１３を用いて所定の操作を行うことによって、計量装置１を設定モードに切り替えることができる。以下、具体的に説明する。
【００５２】
図５（ａ）に示すように、計量装置１が利用される場所（例えば、厨房等）に設置されている状態において、通常は太陽電池１３からの電圧がＶ１であるものとする。
【００５３】
なお、ここでいう「通常」とは、計量装置１の周囲の環境が通常であることを意味する。より具体的には、計量装置１が配置された場所の照明環境が通常利用されている状態であり、かつ太陽電池１３に照射される光を一時的に遮るような障害物も特にない状態を意味する。
【００５４】
利用者が計量装置１の太陽電池１３を直接触れることなく手で覆い、当該太陽電池１３に照射される光を遮ると、太陽電池１３からの電圧は低下する。本実施形態においては、当該電圧は、閾値Ｖｔよりも低いＶ２まで低下するものとする。
【００５５】
ここで、閾値Ｖｔは、利用者による操作の有無を判定するために設けられる値であり、通常時における太陽電池１３からの電圧Ｖ１に対して所定の割合の値となるように設定される。本実施形態においては、ＶｔはＶ１の５０（％）の値であるものとする。
【００５６】
利用者がそのまま太陽電池１３を手で覆い続けると、太陽電池１３からの電圧もＶ２のまま保持される。ＣＰＵ３３は、太陽電池１３からの電圧がＶｔを下回った時（Ｔ１）から、５秒間継続して当該電圧がＶｔを下回っていることを検出した時点（Ｔ２）で、計量装置１のモードを計量モードから設定モードに切り替える。
【００５７】
ＣＰＵ３３は、計量装置１のモードを設定モードに切り替えると共に、その旨を表示部１６に表示させる。これによって、利用者は計量装置１が設定モードに切り替えられたことを認識することができる。その後利用者が太陽電池１３を覆っていた手をどかし、太陽電池１３からの電圧が再びＶ１まで上昇したとしても、計量装置１は設定モードを維持する。
【００５８】
このように、ある特定の操作（上記例においては、設定モードに切り替える操作）を行うために要求される太陽電池１３による検出のパターンは、予め設定され、メモリ３４に記憶されている。利用者は、太陽電池１３に照射されている光を、予め設定された所定のパターン（すなわち、太陽電池１３からの電圧がＶｔを下回った状態で５秒間維持されるパターン）に従って遮ることによって、計量装置１を設定モードに切り替えることができる。
【００５９】
次に、図５から図７までを用いて、設定モードの詳細について説明する。
【００６０】
設定モードでは、図６に示すように、主に目標重量（上下限）の設定（項目１）、ゼロ点調整（項目２）、風袋引きの設定（項目３）及びその他の設定（項目４）を行うことができる。以下では、まずこれらの項目の選択方法を説明し、各項目の詳細については後述する。
【００６１】
計量装置１が設定モードに切り替えられると、ＣＰＵ３３は、「目標重量（上下限）の設定」（項目１）という文字を表示部１６に表示させる。この状態で、利用者が太陽電池１３を用いて所定の操作（決定操作）を行うと、ＣＰＵ３３は当該項目１を選択（決定）し、目標重量（上下限）の設定を開始する。また、利用者が太陽電池１３を用いて所定の操作（項目送り操作）を行うと、ＣＰＵ３３は次の項目（すなわち、「ゼロ点調整」（項目２））を表示部１６に表示させる。
【００６２】
ここで「決定操作」とは、図５（ａ）に示すパターンと略同様に、太陽電池１３を手で覆い、当該太陽電池１３からの電圧を閾値Ｖｔよりも低い値（例えばＶ２）まで低下させた状態を約５秒間（本実施形態においては５秒以上１０秒未満とする）継続させた後、当該太陽電池１３を覆っていた手をどかして太陽電池１３からの電圧を再びＶ１まで上昇させる、というパターンの操作とする。
【００６３】
また「項目送り操作」とは、図５（ｂ）に示すように、太陽電池１３を手で覆い、当該太陽電池１３からの電圧を閾値Ｖｔよりも低い値（例えばＶ２）まで低下させた状態を約２秒間（本実施形態においては２秒以上５秒未満とする）継続させた後、当該太陽電池１３を覆っていた手をどかして太陽電池１３からの電圧を再びＶ１まで上昇させる、というパターンの操作とする。
【００６４】
表示部１６に「ゼロ点調整」（項目２）が表示された状態で、利用者が前記決定操作を行うと、ＣＰＵ３３は当該項目２を選択し、ゼロ点調整を開始する。また、利用者が前記項目送り操作を行うと、ＣＰＵ３３は次の項目（すなわち、「風袋引きの設定」（項目３））を表示部１６に表示させる。
【００６５】
同様に、利用者が前記項目送り操作を行うごとに、ＣＰＵ３３は、項目１、項目２、項目３、項目４（「その他の設定」）、項目５（「設定モード終了」）の順に表示部１６に表示させる。また、表示部１６に項目５が表示された状態で、利用者が前記項目送り操作を行うと、ＣＰＵ３３は再び項目１を表示部１６に表示させる。
【００６６】
このように、ＣＰＵ３３は、項目１から項目５までの項目を１つの階層（階層１）とし、利用者が前記項目送り操作を行うごとに階層１内の項目を順に表示部１６に表示させる。
【００６７】
次に、「目標重量（上下限）の設定」（項目１）の詳細について説明する。
【００６８】
項目１が選択されると、ＣＰＵ３３は、目標重量（上下限）の設定を開始する。ここで、目標重量（上下限）の設定とは、被計量物の重量の目標となる値（目標重量）を設定することであり、より詳細には、被計量物の目標重量の許容範囲（上限値及び下限値）を設定することである。
【００６９】
項目１が選択されると、ＣＰＵ３３は、まず被計量物の目標重量の上限値の設定を開始する。この場合、ＣＰＵ３３はその旨及び「０」という数値を表示部１６に表示させる。
【００７０】
この状態で、利用者が太陽電池１３を手で覆い、当該太陽電池１３からの電圧を閾値Ｖｔよりも低い値（例えばＶ２）まで低下させた状態を２秒間継続させると、ＣＰＵ３３は表示部１６に表示させた数値を増加させ始める（図７（ａ）参照）。
【００７１】
ＣＰＵ３３は、太陽電池１３からの電圧が閾値Ｖｔを下回った状態で時間が経過するごとに、数値の増加速度（単位時間あたりの数値の増加量）を上昇させる。これによって、大きな値まで数値を素早く増加させることができる。また、利用者が太陽電池１３を覆っていた手をどかして太陽電池１３からの電圧を再びＶｔよりも高い値まで上昇させると、ＣＰＵ３３はその時点で前記数値の増加を停止させる。
【００７２】
一方、利用者が太陽電池１３を手で覆い、当該太陽電池１３からの電圧を閾値Ｖｔよりも低い値（例えばＶ２）まで低下させた状態を約１秒間（本実施形態においては２秒未満とする）継続させた後、手をどかして太陽電池１３からの電圧をＶｔよりも高い値まで約１秒間上昇させ、再度太陽電池１３からの電圧を閾値Ｖｔよりも低い値まで低下させると、ＣＰＵ３３は表示部１６に表示させた数値を減少させ始める（図７（ｂ）参照）。利用者が太陽電池１３を覆っていた手をどかして太陽電池１３からの電圧を再びＶｔよりも高い値まで上昇させると、ＣＰＵ３３はその時点で前記数値の減少を停止させる。
【００７３】
利用者が太陽電池１３を手で覆うことなく、当該太陽電池１３からの電圧が閾値Ｖｔより高い値（Ｖ１）のまま約５秒間経過すると、ＣＰＵ３３はその時点で表示部１６に表示されている数値を、被計量物の目標重量の上限値として設定する。
【００７４】
その後ＣＰＵ３３は、被計量物の目標重量の下限値の設定を開始する。この場合、ＣＰＵ３３はその旨及び「０」という数値を表示部１６に表示させる。当該下限値の設定も、上限値の設定と同様の操作で行われる。
【００７５】
このようにして被計量物の目標重量の許容範囲が設定されると、ＣＰＵ３３は計量装置１を設定モードから計量モードに切り替える。この状態で被計量物を計量皿２０に載置すると、ＣＰＵ３３は当該被計量物の重量を表示部１６に表示すると共に、当該重量が目標重量よりも高い（過量）か低い（軽量）かという情報を表示部１６に併せて表示する。利用者は、当該情報を認識することにより、直感的に被計量物の重量を目標重量の許容範囲内となるように調節することができる。
【００７６】
次に、「ゼロ点調整」（項目２）の詳細について説明する。
【００７７】
図６に示す項目２が選択されると、ＣＰＵ３３は、その時点でロードセル１４に加えられている荷重が「０」であるものとし、計量装置１を設定モードから計量モードに切り替える。従ってＣＰＵ３３は、計量モードに切り替えた時点で表示部１６に「０」という数値を表示する。このように、ゼロ点調整を行うことで、その時点での荷重が「０」であるものとして計量を行うことが可能となる。
【００７８】
次に、「風袋引きの設定」（項目３）の詳細について説明する。
【００７９】
項目３が選択されると、ＣＰＵ３３は、風袋引きの設定を開始する。ここで、風袋引きの設定とは、風袋引き（被計量物の容器の重量を差し引いて、当該被計量物の正味の重量を計量すること）の際に差し引かれる重量を設定することである。
【００８０】
項目３が選択されると、ＣＰＵ３３は、その旨を表示部１６に表示させる。ＣＰＵ３３は、当該表示を行った時点から予め定められた時間（例えば、１０秒）が経過した時点でロードセル１４に加えられている荷重（重量）が被計量物の容器の重量であるものとして、当該重量をメモリ３４に記憶する。従って利用者は、この１０秒の間に差し引きたい物（被計量物の容器）を計量皿２０に載置し、当該容器の重量をメモリ３４に記憶させる。
【００８１】
ＣＰＵ３３は、上記記憶を行った後、計量装置１を設定モードから計量モードに切り替える。この計量モードにおいては、ＣＰＵ３３は上記記憶された重量を差し引いた重量を表示部１６に表示する。これによって、当該表示部１６には被計量物の容器の重量が差し引かれた正味の重量が表示されることになり、被計量物の計量を行い易くすることができる。
【００８２】
次に、「その他の設定」（項目４）の詳細について説明する。
【００８３】
項目４が選択されると、ＣＰＵ３３は、階層１よりもさらに深い階層（階層２）の項目４−１（「オートオフ時間の設定」）に移行し、当該「オートオフ時間の設定」という文字を表示部１６に表示させる。
【００８４】
階層２において、ＣＰＵ３３は前述の階層１と同様に、利用者が前記項目送り操作を行うごとに階層２内の項目（項目４−１、項目４−２（「表示部の明るさの設定」）、項目４−３（「ブザーの設定」）及び項目４−４（「１つ前の階層に戻る」））を順に表示部１６に表示させる。
【００８５】
また、利用者が前記決定操作を行うと、ＣＰＵ３３はその時点で表示部１６に表示されている項目を選択し、当該項目（設定）を開始する。
【００８６】
ここで、「オートオフ時間の設定」（項目４−１）とは、計量装置１のオートオフ機能（一定時間継続して操作されない場合に自動的に電源を切る機能）が実行されるまでの時間の設定である。
「表示部の明るさの設定」（項目４−２）とは、表示部１６の明るさの設定（調節）である。
「ブザーの設定」（項目４−３）とは、計量装置１が有するブザー（不図示）を使用するか否かの設定である。
【００８７】
上記項目４−１から項目４−３においては、詳細な説明は省略するが、階層１の各項目と同様に利用者が予め定められた所定のパターンで太陽電池１３を操作（手で覆ったり、その手をどかしたり）することによって、それぞれの項目の設定を行うことができる。
【００８８】
また、上記項目４−４が選択されると、ＣＰＵ３３は１つ前の階層（階層１）に移行し、再び項目１を表示部１６に表示させる。このように、利用者は階層１の項目４又は階層２の項目４−４を選択することによって、階層１と階層２の間を任意に移行することができる。
【００８９】
次に、階層１の「設定モード終了」（項目５）の詳細について説明する。
【００９０】
項目５が選択されると、ＣＰＵ３３は、計量装置１のモードを設定モードから計量モードに切り替える。すなわち、利用者は項目５を選択することで、設定モードを終了させて被計量物の重量を計量することが可能となる。
【００９１】
以上の如く、本実施形態に係る計量装置１は、計量皿２０（載置部）に載置された被計量物の重量を計量する計量装置１であって、利用者による操作を検出する太陽電池１３（非接触式の検出手段）と、太陽電池１３による検出に基づいて設定操作を行うＣＰＵ３３（制御手段）と、を具備するものである。
【００９２】
このように構成することにより、利用者は直接計量装置１に触れることなく容易に設定操作を行うことができる。すなわち、限られた範囲に複数配置された操作キーを押圧して設定操作する場合に比べて、誤操作の発生を抑制することができる。また、直接計量装置１に触れる必要がないため、厨房などの手で食品を扱う場所では、当該計量装置１を衛生的に利用することができる。
【００９３】
また、ＣＰＵ３３は、予め設定された所定のパターンが太陽電池１３により検出された場合に、前記設定操作を行うものである。
【００９４】
このように、所定のパターンを設定しておくことによって、太陽電池１３による誤操作を防止することができる。
特に、自然に発生し難いパターンを設定しておくことで、誤操作をより効果的に防止することができる。例えば、太陽電池１３からの電圧がＶｔを下回った状態を所定時間以上維持するようなパターン（例えば、図５（ａ）参照）を予め設定しておくことによって、計量装置１付近を人が通過する際に瞬間的に太陽電池１３に照射される光を遮ってしまう場合に誤操作が発生するのを防止することができる。また、太陽電池１３からの電圧がＶｔを下回る状態と上回る状態とを組み合わせたより複雑なパターン（例えば、図７（ｂ）参照）を予め設定しておくことによって、より効果的に太陽電池１３による誤操作を防止することができる。
【００９５】
また、前記設定操作には、前記被計量物の重量を計量する計量モード及び各種の設定を行う設定モードの２つのモードを切り替える操作、ゼロ点を調整する操作、前記被計量物の目標重量を設定する操作、及び風袋引きを設定する操作が含まれるものである。
【００９６】
このように、誤操作の発生し易いと考えられる複雑な設定操作を太陽電池１３を用いて行うことによって、より効果的に誤操作の発生を抑制することができる。
【００９７】
また、計量装置１は、非接触式の検出手段として、電力供給源として用いられる太陽電池１３を用いるものである。
【００９８】
このように構成することにより、太陽電池１３によって非接触式の検出手段と電力供給源とを兼用することができ、部品点数及び部品コストの削減を図ることができる。特に本実施形態に係る太陽電池１３は補助的な電力供給源であるため、通常時（乾電池１２の残量が十分である場合）に当該太陽電池１３に照射される光を遮っても、計量装置１の動作に悪影響を及ぼすことがない。
【００９９】
なお、本実施形態においては、図１及び図２に示したように、厨房等で利用される比較的小型の計量装置１を例示したが、本発明はこれに限るものではなく、種々の計量装置（非接触式の検出手段を用いて操作可能な電子秤）に適用することが可能である。
【０１００】
また、本実施形態においては、非接触式の検出手段として太陽電池１３を用いるものとしたが、本発明はこれに限るものではない。例えば、赤外線センサ、超音波センサ、近接センサ等の各種の非接触式センサや、音声入力手段など、直接接触することなく利用者の操作を検出することができるものを用いることが可能である。
【０１０１】
また、本実施形態においては、計量装置１は２つのモード（計量モード及び設定モード）を有するものとしたが、３つ以上のモードを有するものであっても良い。
【０１０２】
また、本実施形態においては、設定モードにおいて各種項目（項目１から項目４まで、並びに項目４−１から項目４−３まで）を設定するものとしたが、本発明はこれに限るものではない。すなわち、計量モードにおいて所定のパターンで太陽電池１３に照射される光を遮ることによって、モードを切り替えることなく、直接上記各種項目を設定する構成とすることも可能である。
【０１０３】
また、本実施形態においては、特定の操作キー１５を操作することによって計量装置１の電源がオンに切り替えられるものとしたが、当該電源をオン（又はオフ（切））に切り替えるための操作を太陽電池１３を用いて行う構成とすることも可能である。
【０１０４】
また、閾値Ｖｔは通常時の電圧Ｖ１に対して所定の割合（本実施形態においては、５０（％））に設定されるものとしたが、本発明はこれに限るものではなく、通常時の電圧Ｖ１よりも一定の値だけ小さい値に設定することや、通常時の電圧Ｖ１にかかわらず一定の値に設定することも可能である。
【０１０５】
また、本実施形態においては、計量装置１の設定に関する項目として階層１（項目１から項目５まで）及び階層２（項目４−１から項目４−４まで）の各項目を例示したが、本発明はこれに限るものではなく、任意の項目を任意の順に設けることが可能である。また、階層の深さも本実施形態の如く２段階（階層１及び階層２）に限るものではなく、３段階以上の階層の深さとすることも可能である。
【０１０６】
また、本実施形態においては、筐体１１の前面の左右両端部近傍にそれぞれ配置された２つの太陽電池１３からの電圧をまとめて１つの第二電圧検出ＩＣで検出するものとしたが、本発明はこれに限るものではなく、２つの太陽電池１３それぞれの電圧を個別に検出する構成とすることも可能である。この場合、２つの太陽電池１３の電圧を組み合わせた検出のパターンを設定することも可能である。
【０１０７】
また、計量装置１に、太陽電池１３以外にも非接触式の検出手段を設けて、これら複数の検出手段を組み合わせた検出のパターンを設定することも可能である。
【０１０８】
また、太陽電池１３と接触式の検出手段（例えば、操作キー１５）とを組み合わせて計量装置１の設定操作を行う構成とすることも可能である。
【０１０９】
さらに、当該接触式の検出手段として、被計量物が載置される計量皿２０を用いる構成とすることも可能である。すなわち、計量皿２０を押し下げたり引き上げたりする操作と、太陽電池１３を用いた操作と、を組み合わせることも可能である。このように、計量皿２０を当該接触式の検出手段としても兼用することで、別途検出手段を設ける必要がなく、部品コストの削減を図ることができると共に、計量皿２０は比較的大きく操作し易いため、操作性の向上を図ることができる。
なお、計量皿２０を接触式の検出手段として用いる場合、通常の被計量物の計量作業と、計量装置１の設定操作と、を区別するために、計量皿２０を予め定められた操作パターンで操作（押し下げたり引き上げたりする操作）した場合にのみ計量装置１の設定操作が可能となる等の、誤作動防止の機能を設けることが望ましい。
【０１１０】
また、本実施形態においては、計量装置１は操作キー１５を有する構成としたが、全ての操作を太陽電池１３を用いて行うものとして、当該操作キー１５を廃止することも可能である。
【０１１１】
また、本実施形態では、利用者が太陽電池１３を予め設定された所定のパターンに従って操作する（光を遮る）ことで、各種の設定操作を行うことができるものとしたが、当該所定のパターンは厳密なものではなく、ある程度の許容範囲を有するように設定されることが望ましい。
例えば、太陽電池１３からの電圧が閾値Ｖｔを下回った状態で５秒間だけ維持するものと設定するのではなく、５秒以上１０秒未満の間維持するものと設定する。この場合、利用者が太陽電池１３に照射される光を遮り、電圧が閾値Ｖｔを下回ってから５秒以上１０秒未満の間に再び電圧を閾値Ｖｔより大きい値まで増加させた場合、ＣＰＵ３３は当該検出のパターンが予め設定された所定のパターンと一致したものとして、設定操作を行う。このように、ある程度の許容範囲（上記の例では５秒以上１０秒未満の時間範囲）を設けることで、利用者による操作が容易となる。
【符号の説明】
【０１１２】
１    計量装置
１０  本体部
１２  乾電池
１３  太陽電池（非接触式の検出手段）
１４  ロードセル
１６  表示部
１７  制御基板
２０  計量皿（載置部）
３３  ＣＰＵ（制御手段）
３５  第一電圧検出ＩＣ
３６  第二電圧検出ＩＣ
【図１】
2014163669.tif 000003
【図２】
2014163669.tif 000004
【図３】
2014163669.tif 000005
【図４】
2014163669.tif 000006
【図５】
2014163669.tif 000007
【図６】
2014163669.tif 000008
【図７】
2014163669.tif 000009